(57)【要約】【課題】いかなる能力の室内機が接続されている場合でも、暖房運転開始時の高圧の過昇を抑制できる空気調和装置を提供する。【解決手段】室内機能力判定運転では、圧縮機２１を能力判定時回転数Ｒｊで駆動して室内機５ａ〜５ｃを１台ずつ暖房運転したときの高圧Ｐｈｓを高圧センサ３１から取り込み、取り込んだ高圧Ｐｈｓが閾圧力Ｐｔｈ未満である室内機は小能力Ａと判定し、取り込んだ高圧Ｐｈｓが閾圧力Ｐｔｈ以上である室内機は大能力Ｂと判定する。暖房運転を行う室内機が小能力Ａと判定されたもののみである場合は、起動時回転数パターンＲｐとして小能力時起動パターンＲｐａが採用される。一方、暖房運転を行う室内機のうち少なくとも１台が大能力Ｂと判定されたものである場合は、起動時回転数パターンＲｐとして大能力時起動パターンＲｐｂが採用される。【選択図】図２
2018115805.tif 000002
【特許請求の範囲】
【請求項１】
圧縮機と同圧縮機から吐出された冷媒の圧力である高圧を検出する高圧検出手段を有する室外機と、室内機と、前記室外機と前記室内機を接続する液管およびガス管と、前記圧縮機を駆動制御する制御手段を有する空気調和装置であって、
前記制御手段は、
前記室内機の能力を判定する室内機能力判定運転を実行し、判定した前記室内機の能力に基づいて、前記圧縮機の起動時の回転数を制御して暖房運転を開始する、
ことを特徴とする空気調和装置。
【請求項２】
前記制御手段は、
前記室内機能力判定運転を実行する際の前記圧縮機の回転数である能力判定時回転数と、前記室内機能力判定運転を実行する際に使用する閾圧力を予め記憶しており、
前記室内機能力判定運転では、前記圧縮機を能力判定時回転数で駆動して暖房運転を行って前記高圧検出手段で検出した高圧を取り込み、取り込んだ同高圧と前記閾圧力を比較した結果に基づいて、前記室内機の能力を判定する、
ことを特徴とする請求項１に記載の空気調和装置。
【請求項３】
前記制御手段は、
前記室内機の能力に応じて前記圧縮機の回転数を段階的に上昇させる起動時回転数パターンを予め記憶しており、
前記空気調和装置で暖房運転を開始するとき、記憶した前記室内機の能力に対応する起動時回転数パターンで前記圧縮機の起動時の回転数を制御する、
ことを特徴とする請求項１または請求項２に記載の空気調和装置。
【請求項４】
圧縮機と同圧縮機から吐出された冷媒の圧力である高圧を検出する高圧検出手段を有する室外機と、複数台の室内機と、前記室外機と前記複数台の室内機を接続する複数の液管および複数のガス管で接続された冷媒回路と、前記圧縮機を駆動制御する制御手段を有する空気調和装置であって、
前記制御手段は、
前記複数台の室内機のそれぞれの能力を判定する室内機能力判定運転を実行し、判定した前記複数台のそれぞれの室内機の能力に基づいて、前記圧縮機の起動時の回転数を制御して暖房運転を開始する、
ことを特徴とする空気調和装置。
【請求項５】
前記制御手段は、
前記室内機能力判定運転を実行する際の前記圧縮機の回転数である能力判定時回転数と、前記室内機能力判定運転を実行する際に使用する閾圧力を予め記憶しており、
前記室内機能力判定運転では、前記圧縮機を能力判定時回転数で駆動して前記複数台の室内機を１台ずつ暖房運転し、その都度前記高圧検出手段で検出した高圧を取り込み、取り込んだ同各高圧と前記閾圧力をそれぞれ比較した結果に基づいて、現在運転している室内機の能力を判定する、
ことを特徴とする請求項４に記載の空気調和装置。
【請求項６】
前記制御手段は、
前記室内機の能力に応じて前記圧縮機の回転数を段階的に上昇させる起動時回転数パターンを予め記憶しており、
前記空気調和装置で暖房運転を開始するとき、暖房運転を行う室内機の能力に対応する起動時回転数パターンで前記圧縮機の起動時の回転数を制御する、
ことを特徴とする請求項４または請求項５に記載の空気調和装置。
【発明の詳細な説明】
【技術分野】
【０００１】
本発明は、室外機と室内機が冷媒配管で接続された空気調和装置に関する。
【背景技術】
【０００２】
従来、空気調和装置としては、例えば１台の室外機に複数台の室内機が液管およびガス管で接続され、複数台の室内機で同時に冷房運転あるいは暖房運転を行うことが可能であるものが知られている。このような空気調和装置では、空調運転の開始時の圧縮機回転数（以降、起動時回転数と記載）が予め定められている。
【０００３】
上記のような空気調和装置で、暖房運転を開始するときに外気温度が高い場合は、蒸発器として機能する室外熱交換器における蒸発能力が過剰となって低圧が上昇し、これに伴って高圧も上昇して圧縮機の補償上限値を超える恐れがある。そして、高圧が補償上限値を超えると圧縮機が保護停止するため、暖房運転が中断されるという問題がある。
【０００４】
以上のような問題を解決するものとして、特許文献１に記載の空気調和装置では、暖房運転開始時に検出した外気温度が予め定められた基準外気温度より高い場合は、圧縮機の起動時回転数を低くしている。これにより、室外熱交換器において蒸発能力が過剰となることを抑制できるので、高圧が過昇することを防ぐことができる。
【先行技術文献】
【特許文献】
【０００５】
【特許文献１】特開平８−２１９５３０号公報
【発明の概要】
【発明が解決しようとする課題】
【０００６】
ところで、空気調和装置では、室外機に接続される室内機の能力（主に、各室内機に設けられる室内熱交換器の大きさで決まる）が様々であり、ある能力の室内機が１台のみ接続される場合や、異なる能力の室内機が複数台接続されることがある。このような空気調和装置で、室外機に能力の小さい室内機が１台だけ接続されている場合や、大小様々な能力の室内機が接続されているものの運転開始時には能力の小さい室内機のみが運転するような場合は、室外機の能力（主に、室外機に設けられる室外熱交換器の大きさで決まる）と室内機側の能力の差が大きくなる。
【０００７】
上記のように室内機側の能力が小さくて室外機の能力と室内機側の能力の差が大きい空気調和装置で暖房運転を開始した場合は、凝縮器として機能する室内熱交換器における凝縮能力に比べて室外熱交換器における蒸発能力が過剰となる。そして、室内熱交換器における凝縮能力に比べて室外熱交換器における蒸発能力が過剰となる場合は、能力の大きい室内機を１台運転する場合や、複数台の室内機を運転することで室外機の能力が大きくなる場合のように室外機の能力と室内機側の能力の差が小さくなる場合と比べて、低圧が上昇しこれに伴って高圧も上昇する。
【０００８】
従って、室内機側の能力が小さくて室外機の能力と室内機側の能力の差が大きくなる場合に、室外機の能力と室内機側の能力の差が小さくなる場合と同じ起動時回転数で圧縮機を起動すれば、高圧が過昇して圧縮機の補償上限値を超える恐れがあった。
【０００９】
尚、室内機側の能力が小さくて室外機の能力と室内機側の能力の差が大きくなる空気調和装置で暖房運転を開始するときに、特許文献１に記載の技術を応用しても、検出した外気温度が予め定められた基準外気温度より高くない場合のように圧縮機の起動時回転数を低くしないときは、高圧の過昇を防ぐことができない。また、検出した外気温度が予め定められた基準外気温度より高くて圧縮機の起動時回転数を低くしても、室内機側の能力が小さくて室外機の能力と室内機側の能力の差が大きくなる場合は、高圧の過昇を十分に抑制できない恐れがあった。
【００１０】
本発明は以上述べた問題点を解決するものであって、いかなる能力の室内機が接続されている場合でも、暖房運転開始時の高圧の過昇を抑制できる空気調和装置を提供することを目的とする。
【課題を解決するための手段】
【００１１】
上記の課題を解決するために、本発明の空気調和装置は、圧縮機と圧縮機から吐出された冷媒の圧力である高圧を検出する高圧検出手段を有する室外機と、室内機と、室外機と室内機を接続する液管およびガス管と、圧縮機を駆動制御する制御手段を有するものであって、制御手段は、室内機の能力を判定する室内機能力判定運転を実行し、判定した室内機の能力に基づいて、圧縮機の起動時の回転数を制御して暖房運転を開始する。
【００１２】
また、本発明の空気調和装置は、圧縮機と圧縮機から吐出された冷媒の圧力である高圧を検出する高圧検出手段を有する室外機と、複数台の室内機と、室外機と複数台の室内機を接続する複数の液管および複数のガス管で接続された冷媒回路と、圧縮機を駆動制御する制御手段を有するものであって、制御手段は、複数台の室内機のそれぞれの能力を判定する室内機能力判定運転を実行し、判定した複数台の室内機のそれぞれの能力に基づいて、圧縮機の起動時の回転数を制御して暖房運転を開始する。
【発明の効果】
【００１３】
上記のように構成した本発明の空気調和装置は、暖房運転を行う室内機の能力に応じて、暖房運転開始時の圧縮機の起動時の回転数を異ならせる。これにより、暖房運転開始時の高圧の過昇を抑制できる。
【図面の簡単な説明】
【００１４】
【図１】本発明の実施形態である空気調和装置の説明図であり、（Ａ）が冷媒回路図、（Ｂ）が室外機制御手段のブロック図である。
【図２】本発明の実施形態における、起動時回転数パターン決定テーブルである。
【図３】起動時回転数パターンである小能力起動時パターンおよび大能力起動時パターンを示すタイムチャートである。
【図４】本発明の実施形態における、室内機能力判定運転に関わる処理を示すフローチャートである。
【図５】本発明の実施形態における、暖房運転開始時の制御に関わる処理を示すフローチャートである。
【発明を実施するための形態】
【００１５】
以下、本発明の実施の形態を、添付図面に基づいて詳細に説明する。実施形態としては、１台の室外機に３台の室内機が冷媒配管で並列に接続され、全ての室内機で同時に冷房運転あるいは暖房運転が行える空気調和装置を例に挙げて説明する。尚、本発明は以下の実施形態に限定されることはなく、本発明の主旨を逸脱しない範囲で種々変形することが可能である。
【実施例】
【００１６】
図１（Ａ）に示すように、本実施形態における空気調和装置１は、３個の液側閉鎖弁２７ａ〜２７ｃと３個のガス側閉鎖弁２８ａ〜２８ｃを有する１台の室外機２と、３台の室内機５ａ〜５ｃの合計３台の室内機を有する。詳細は後述するが、室内機５ａ〜５ｃの能力はいずれも室外機２の能力より小さく、室内機５ｂと室内機５ｃは能力が同じであり、室内機５ａは室内機５ｂおよび室内機５ｃより能力が小さい。そして、室外機２に室内機５ａ〜５ｃが、３本の液管８ａ、８ｂ、８ｃと３本のガス管９ａ、９ｂ、９ｃで並列に接続されている。
【００１７】
具体的には、液管８ａの一端は室内機５ａの液管接続部５２ａに接続され、液管８ａの他端は室外機２の液側閉鎖弁２７ａに接続されている。また、液管８ｂの一端は室内機５ｂの液管接続部５２ｂに接続され、液管８ｂの他端は室外機２の液側閉鎖弁２７ｂに接続されている。そして、液管８ｃの一端は室内機５ｃの液管接続部５２ｃに接続され、液管８ｃの他端は室外機２の液側閉鎖弁２７ｃに接続されている。
【００１８】
ガス管９ａの一端は室内機５ａのガス管接続部５３ａに接続され、ガス管９ａの他端は室外機２のガス側閉鎖弁２８ａに接続されている。また、ガス管９ｂの一端は室内機５ｂのガス管接続部５３ｂに接続され、ガス管９ｂの他端は室外機２のガス側閉鎖弁２８ｂに接続されている。そして、ガス管９ｃの一端は室内機５ｃのガス管接続部５３ｃに接続され、ガス管９ｃの他端は室外機２のガス側閉鎖弁２８ｃに接続されている。
【００１９】
以上のように、室外機２に室内機５ａ〜５ｃが液管８ａ〜８ｃおよびガス管９ａ〜９ｃでそれぞれ接続されて、空気調和装置１の冷媒回路１０が構成されている。
＜室外機２の構成＞
【００２０】
室外機２は、圧縮機２１と、四方弁２２と、室外熱交換器２３と、３個の膨張弁２４ａ〜２４ｃと、アキュムレータ２５と、室外ファン２６と、上述した３個の液側閉鎖弁２７ａ〜２７ｃおよび３個のガス側閉鎖弁２８ａ〜２８ｃと、室外機制御手段２００を備えている。そして、室外ファン２６および室外機制御手段２００を除くこれら各装置が、以下で詳述する各冷媒配管で相互に接続されて、冷媒回路１０の一部をなす室外機冷媒回路２０を構成している。
【００２１】
圧縮機２１は、インバータにより回転数が制御される図示しないモータによって駆動されることで運転容量を可変できる能力可変型圧縮機である。圧縮機２１の冷媒吐出口と四方弁２２のポートａが吐出管４１で接続されている。また、圧縮機２１の冷媒吸入側とアキュムレータ２５の冷媒流出側が吸入管４２で接続されている。
【００２２】
四方弁２２は、冷媒の流れる方向を切り換えるための弁であり、ａ、ｂ、ｃ、ｄの４つのポートを備えている。上述したように、ポートａと圧縮機２１の冷媒吐出口が吐出管４１で接続されている。ポートｂと室外熱交換器２３の一方の冷媒出入口が冷媒配管４３で接続されている。ポートｃとアキュムレータ２５の冷媒流入側が冷媒配管４６で接続されている。そして、ポートｄには室外機ガス管４５の一端が接続されている。
【００２３】
室外機ガス管４５の他端には、３本の室外機ガス分管４５ａ〜４５ｃの各々の一端が接続されている。室外機ガス分管４５ａの他端はガス側閉鎖弁２８ａに接続されている。室外機ガス分管４５ｂの他端はガス側閉鎖弁２８ｂに接続されている。室外機ガス分管４５ｃの他端はガス側閉鎖弁２８ｃに接続されている。
【００２４】
室外熱交換器２３は、室外ファン２６の回転により図示しない吸込口から室外機２の内部に取り込まれた外気と冷媒を熱交換させる。上述したように、室外熱交換器２３の一方の冷媒出入口と四方弁２２のポートｂが冷媒配管４３で接続されている。また、室外熱交換器２３の他方の冷媒出入口には室外機液管４４の一端が接続されている。室外熱交換器２３は、冷媒回路１０が冷房サイクルとなる場合は凝縮器として機能し、冷媒回路１０が暖房サイクルとなる場合は蒸発器として機能する。
【００２５】
室外機液管４４の他端には、３本の室外機液分管４４ａ〜４４ｃの各々の一端が接続されている。室外機液分管４４ａの他端は液側閉鎖弁２７ａに接続されている。室外機液分管４４ｂの他端は液側閉鎖弁２７ｂに接続されている。室外機液分管４４ｃの他端は液側閉鎖弁２７ｃに接続されている。
【００２６】
３個の膨張弁２４ａ〜２４ｃは、図示しないパルスモータにより駆動される電子膨張弁であり、パルスモータに与えられるパルス数によって開度が調整される。膨張弁２４ａは室外機液分管４４ａに設けられる。膨張弁２４ｂは室外機液分管４４ｂに設けられる。膨張弁２４ｃは室外機液分管４４ｃに設けられる。膨張弁２４ａ〜２４ｃの開度をそれぞれ調整することによって、室内機５ａ〜室内機５ｃに流れる冷媒量がそれぞれ調整される。
【００２７】
アキュムレータ２５は、上述したように、冷媒流入側と四方弁２２のポートｃが冷媒配管４６で接続され、冷媒流出側と圧縮機２１の冷媒吸入口が吸入管４２で接続されている。アキュムレータ２５は、流入した冷媒をガス冷媒と液冷媒とに分離し、ガス冷媒のみを吸入管４２を介して圧縮機２１に吸入させる。
【００２８】
室外ファン２６は、室外熱交換器２３の近傍に配置される樹脂材で形成されたプロペラファンであり、図示しないファンモータによって室外ファン２６が回転することで、室外機２に設けられた図示しない吸込口から室外機２の内部に外気を取り込み、室外熱交換器２３を流れる冷媒と熱交換した外気を室外機２に設けられた図示しない吹出口から室外機２の外部へ放出する。
【００２９】
以上説明した構成の他に、室外機２には各種のセンサが設けられている。図１（Ａ）に示すように、吐出管４１には、圧縮機２１から吐出される冷媒の圧力（以降、高圧と記載）を検出する高圧検出手段である高圧センサ３１と、圧縮機２１から吐出される冷媒の温度を検出する吐出温度センサ３３が設けられている。
【００３０】
冷媒配管４６におけるアキュムレータ２５の冷媒流入側近傍には、圧縮機２１に吸入される冷媒の圧力（以降、低圧と記載）を検出する低圧センサ３２と、圧縮機２１に吸入される冷媒の温度を検出する吸入温度センサ３４が設けられている。
【００３１】
室外機液管４４における室外熱交換器２３の近傍には、室外熱交換器２３が蒸発器として機能する際に室外熱交換器２３に流入する冷媒の温度を検出する冷媒温度センサ３５が設けられている。また、室外機２の図示しない吸込口付近には、室外機２の内部に流入する外気の温度、すなわち外気温度を検出する外気温度センサ３８が設けられている。
【００３２】
室外機液分管４４ａにおける膨張弁２４ａと液側閉鎖弁２７ａの間には、室外機液分管４４ａを流れる冷媒の温度を検出する液側温度センサ３６ａが設けられている。室外機液分管４４ｂにおける膨張弁２４ｂと液側閉鎖弁２７ｂの間には、室外機液分管４４ｂを流れる冷媒の温度を検出する液側温度センサ３６ｂが設けられている。室外機液分管４４ｃにおける膨張弁２４ｃと液側閉鎖弁２７ｃの間には、室外機液分管４４ｃを流れる冷媒の温度を検出する液側温度センサ３６ｃが設けられている。
【００３３】
室外機ガス分管４５ａには、室外機ガス分管４５ａを流れる冷媒の温度を検出するガス側温度センサ３７ａが設けられている。室外機ガス分管４５ｂには、室外機ガス分管４５ｂを流れる冷媒の温度を検出するガス側温度センサ３７ｂが設けられている。室外機ガス分管４５ｃには、室外機ガス分管４５ｃを流れる冷媒の温度を検出するガス側温度センサ３７ｃが設けられている。
【００３４】
また、室外機２には、本発明の制御手段である室外機制御手段２００が備えられている。室外機制御手段２００は、室外機２の図示しない電装品箱に格納された制御基板に搭載されており、図１（Ｂ）に示すように、ＣＰＵ２１０と、記憶部２２０と、通信部２３０と、センサ入力部２４０とを備えている。
【００３５】
記憶部２２０は、ＲＯＭやＲＡＭで構成されており、室外機２の制御プログラムや各種センサからの検出信号に対応した検出値、圧縮機２１や室外ファン２６の駆動状態、室内機５ａや室内機５ｂ、５ｃから送信される運転情報（運転／停止情報や設定温度情報等を含む）等を記憶する。通信部２３０は、各室内機との通信を行うインターフェイスである。センサ入力部２４０は、室外機２の各種センサでの検出結果を取り込んでＣＰＵ２１０に出力する。ＣＰＵ２１０は、センサ入力部２４０を介して各種センサでの検出値を定期的（例えば、３０秒毎）に取り込むとともに、室内機５ａ〜５ｃから送信される運転開始／停止を示す運転状態や運転情報（設定温度や室内温度等）を含んだ信号が通信部２３０を介して入力される。ＣＰＵ２１０は、これら入力された各種情報に基づいて、膨張弁２４ａ〜２４ｃの開度調整、圧縮機２１や室外ファン２６の駆動制御を行う。
＜室内機５ａ〜５ｃの構成＞
【００３６】
次に、室内機５ａ〜５ｃについて説明する。室内機５ａ〜５ｃは、室内熱交換器５１ａ〜５１ｃと、液管接続部５２ａ〜５２ｃと、ガス管接続部５３ａ〜５３ｃと、室内ファン５４ａ〜５４ｃを備えている。そして、室内ファン５４ａ〜５４ｃを除くこれら各構成装置が以下で詳述する各冷媒配管で相互に接続されて、冷媒回路１０の一部をなす室内機冷媒回路５０ａ〜５０ｃを構成している。
【００３７】
ここで、室内機５ａ〜５ｃの能力はいずれも室外機２の能力より小さく、かつ、室内機５ｂと室内機５ｃは能力が同じであり室内機５ａは室内機５ｂおよび室内機５ｃより能力が小さい。具体的には、各室内熱交換器５１ａ〜５１ｃは室外熱交換器２３より小さく、室内熱交換器５１ａは室内熱交換器５１ｂおよび室内熱交換器５１ｃより小さい。
【００３８】
尚、上述した能力の違いを除いて、室内機５ａ〜５ｃは全て同じ構成を有するため、以下の説明では室内機５ａについてのみ構成の説明を行い、室内機５ｂ、５ｃの構成については説明を省略する。尚、図１（Ａ）では、室内機５ａの構成装置に付与した番号の末尾をａからｂあるいはｃにそれぞれ変更したものが、室内機５ａの構成装置と対応する室内機５ｂ、５ｃの構成装置となる。
【００３９】
室内熱交換器５１ａは、冷媒と、室内ファン５４ａの回転により室内機５ａに備えられた図示しない吸込口から室内機５ａの内部に取り込まれた室内空気を熱交換させるものである。室内熱交換器５１ａの一方の冷媒出入口と液管接続部５２ａが室内機液管７１ａで接続されている。室内熱交換器５１ａの他方の冷媒出入口とガス管接続部５３ａが室内機ガス管７２ａで接続されている。尚、液管接続部５２ａやガス管接続部５３ａには、各冷媒配管が溶接やフレアナット等によって接続されている。
室内熱交換器５１ａは、室内機５ａが冷房運転を行う場合は蒸発器として機能し、室内機５ａが暖房運転を行う場合は凝縮器として機能する。
【００４０】
室内ファン５４ａは、室内熱交換器５１ａの近傍に配置される樹脂材で形成されたクロスフローファンであり、図示しないファンモータによって回転することで、図示しない吸込口から室内機５ａの内部に室内空気を取り込み、室内熱交換器５１ａにおいて冷媒と熱交換した室内空気を室内機５ａに備えられた図示しない吹出口から室内へ供給する。また、室内機５ａの図示しない吸込口付近には、室内機５ａの内部に流入する室内空気の温度、すなわち室内温度を検出する室内温度センサ６１ａが備えられている。
＜冷媒回路１０の動作＞
【００４１】
次に、本実施形態の空気調和装置１が空調運転を行うときの冷媒回路１０における冷媒の流れや各部の動作を、図１（Ａ）を用いて説明する。尚、以下の説明では、室内機５ａ〜５ｃが暖房運転を行う場合について説明し、空気調和装置１が冷房運転を行う場合については詳細な説明を省略する。また、図１（Ａ）における矢印は、冷媒回路１０における暖房運転時の冷媒の流れを示している。
【００４２】
空気調和装置１が暖房運転を行う場合、四方弁２２が図１（Ａ）に実線で示す状態、すなわち、四方弁２２のポートａとポートｄが連通するように、また、ポートｂとポートｃが連通するように切り換えられる。これにより、冷媒回路１０が図１（Ａ）に矢印で示す方向に冷媒が流れる状態となり、室外熱交換器２３が蒸発器として機能するとともに、室内熱交換器５１ａ〜５１ｃがそれぞれ凝縮器として機能する暖房サイクルとなる。
【００４３】
上記のような冷媒回路１０の状態で圧縮機２１が起動すると、圧縮機２１から吐出された高圧の冷媒は吐出管４１から四方弁２２に流入し、四方弁２２から室外機ガス管４５を流れて室外機ガス分管４５ａ〜４５ｃに分流する。室外機ガス分管４５ａ〜４５ｃに分流した冷媒は、ガス側閉鎖弁２８ａ〜２８ｃを介してガス管９ａ〜９ｃに流入する。
【００４４】
ガス管９ａを流れる冷媒は、室内機５ａのガス管接続部５３ａを介して室内機５ａに流入する。室内機５ａに流入した冷媒は、室内機ガス管７２ａを流れて室内熱交換器５１ａに流入し、室内ファン５４ａの回転により室内機５ａの内部に取り込まれた室内空気と熱交換を行って凝縮する。また、ガス管９ｂを流れる冷媒は、室内機５ｂのガス管接続部５３ｂを介して室内機５ｂに流入する。室内機５ｂに流入した冷媒は、室内機ガス管７２ｂを流れて室内熱交換器５１ｂに流入し、室内ファン５４ｂの回転により室内機５ｂの内部に取り込まれた室内空気と熱交換を行って凝縮する。そして、ガス管９ｃを流れる冷媒は、室内機５ｃのガス管接続部５３ｃを介して室内機５ｃに流入する。室内機５ｃに流入した冷媒は、室内機ガス管７２ｃを流れて室内熱交換器５１ｃに流入し、室内ファン５４ｃの回転により室内機５ｃの内部に取り込まれた室内空気と熱交換を行って凝縮する。
【００４５】
このように、室内熱交換器５１ａ〜５１ｃがそれぞれ凝縮器として機能し、室内熱交換器５１ａ〜５１ｃで冷媒と熱交換を行った室内空気が図示しない室内機５ａ〜５ｃの吹出口から室内に吹き出されることによって、室内機５ａ〜５ｃが設置された各部屋の暖房が行われる。
【００４６】
室内熱交換器５１ａから流出した冷媒は室内機液管７１ａを流れ、液管接続部５２ａを介して液管８ａに流出する。液管８ａを流れる冷媒は、液側閉鎖弁２７ａを介して室外機２に流入し、液側閉鎖弁２７ａから室外機液分管４４ａに流入する。また、室内熱交換器５１ｂから流出した冷媒は室内機液管７１ｂを流れ、液管接続部５２ｂを介して液管８ｂに流出する。液管８ｂを流れる冷媒は、液側閉鎖弁２７ｂを介して室外機２に流入し、液側閉鎖弁２７ｂから室外機液分管４４ｂに流入する。そして、室内熱交換器５１ｃから流出した冷媒は室内機液管７１ｃを流れ、液管接続部５２ｃを介して液管８ｃに流出する。液管８ｃを流れる冷媒は、液側閉鎖弁２７ｃを介して室外機２に流入し、液側閉鎖弁２７ｃから室外機液分管４４ｃに流入する。
【００４７】
室外機液分管４４ａ〜４４ｃのそれぞれを流れる冷媒は、膨張弁２４ａ〜２４ｃによりそれぞれ減圧されて室外機液管４４で合流する。室外機液管４４で合流した冷媒は、室外機液管４４を流れて室外熱交換器２３に流入する。室外熱交換器２３に流入した冷媒は、室外ファン２６の回転により室外機２の内部に取り込まれた外気と熱交換を行って蒸発する。
【００４８】
室外熱交換器２３から冷媒配管４３に流出した冷媒は、四方弁２２、冷媒配管４６、アキュムレータ２８、吸入管４２の順に流れ、圧縮機２１に吸入されて再び圧縮される。
【００４９】
尚、空気調和装置１が冷房運転を行う場合、ＣＰＵ２１０は、四方弁２２を破線で示す状態、すなわち、四方弁２２のポートａとポートｂが連通するよう、また、ポートｃとポートｄが連通するように切り換える。これにより、冷媒回路１００は、室外熱交換器２３が凝縮器として機能するとともに室内熱交換器５１ａ〜５１ｃがそれぞれ蒸発器として機能する冷房サイクルとなる。
＜室内機能力判定運転と起動時制御＞
【００５０】
上記のように冷媒回路１０を暖房サイクルとして空気調和装置１で暖房運転を開始するとき、運転する室内機が例えば能力の小さい室内機５ａのみである場合は、凝縮器として機能する室内熱交換器５１ａにおける凝縮能力に比べて室外熱交換器２３における蒸発能力が過剰となる。そして、室内熱交換器５１ａにおける凝縮能力に比べて室外熱交換器２３における蒸発能力が過剰となる場合は、能力の大きい室内機（室内機５ｂや室内機５ｃ）を１台運転する場合や、複数台の室内機を運転することで室内機側の能力が大きくなる場合と比べて、低圧（低圧センサ３２で検出する圧力）が上昇しこれに伴って高圧（高圧センサ３１で検出する圧力）も上昇する。
【００５１】
上記のような場合に、能力の大きい室内機（室内機５ｂや室内機５ｃ）を１台運転する場合や、複数台の室内機を運転することで室内機側の能力が大きくなる場合と同じ起動時回転数で圧縮機２１を起動すれば、高圧が過昇して圧縮機２１の補償上限値を超える恐れがある。
【００５２】
そこで、本発明の空気調和装置１では、空気調和装置１の設置後に室外機２に接続されている室内機５ａ〜５ｃの能力を判定する室内機能力判定運転を実行し、暖房運転開始時に室内機能力判定運転で判定した運転する室内機５ａ〜５ｃの能力に応じて圧縮機２１の起動時回転数を決定しこの回転数で暖房運転開始時の圧縮機２１の回転数制御を行う起動時制御を実行する。
【００５３】
以下、図１に加えて図２〜図５を用いて、室内機能力判定運転と起動時制御について、詳細に説明する。
【００５４】
尚、以下の説明では、高圧センサ３１で検出する高圧をＰｈｓ（単位：ＭＰａ、室内機５ａ〜５ｃ個別に言及する必要がある場合は、Ｐｈｓａ〜Ｐｈｓｃと記載）、室内機５ａ〜５ｃの能力を判定する際に使用する閾圧力をＰｔｈ（単位：ＭＰａ）、圧縮機２１の回転数をＲｓ（単位：ｒｐｓ）、室内機５ａ〜５ｃの能力を判定する際に使用する圧縮機２１の回転数である能力判定時回転数をＲｊ（単位：ｒｐｓ）、能力の判定結果をＡおよびＢ（Ａ：小能力、Ｂ：大能力）、圧縮機２１の起動時回転数パターンをＲｐ、小能力Ａのときに適用される起動時回転数パターンである小能力起動時パターンをＲｐａ、大能力Ｂのときに適用される起動時回転数パターンである大能力起動時パターンをＲｐｂとする。
【００５５】
ここで、能力判定時回転数Ｒｊは、予め試験等を行って求められて室外機制御手段２００の記憶部２２０に記憶されているものであり、室内機能力判定運転を実行する際に圧縮機２１の高圧保護動作や低圧保護動作で圧縮機２１が停止しないことが確認できている回転数である。また、起動時回転数パターンＲｐを構成する小能力起動時パターンをＲｐａと大能力起動時パターンＲｐｂは、予め試験等を行って求められて室外機制御手段２００の記憶部２２０に記憶されているものであり、いずれも起動時回転数パターンＲｐで圧縮機２１を起動しても高圧過昇とならないことが確認できているものである。
【００５６】
まず、図２に示す起動時回転数パターン決定テーブル３００について説明する。起動時回転数パターン決定テーブル３００は、室外機制御手段２００の記憶部２２０に記憶されているものであり、室内機能力判定運転を行った際の結果および運転状態（運転／停止）を室内機５ａ〜５ｃ毎に記憶するとともに、暖房運転開始時に採用される起動時回転数パターンＲｐを記憶したものである。
【００５７】
具体的には、起動時回転数パターン決定テーブル３００には、室内機５ａ〜５ｃ毎に、検出高圧Ｐｈｓ／判定結果／起動時回転数パターンＲｐ／運転状態がそれぞれ記憶されるとともに、１つの採用パターンが記憶されている。これらのうち、検出高圧Ｐｈｓと判定結果と起動時回転数パターンＲｐが、以下に説明する室内機能力判定運転を実行することで決定される項目である。
【００５８】
室内機能力判定運転とは、空気調和装置１の設置後に室外機２に接続されている室内機５ａ〜５ｃのそれぞれの能力が小能力Ａであるか大能力Ｂであるかを判定するために行われるものである。具体的には、冷媒回路１０を暖房サイクルとしたうえで圧縮機２１を予め定められて記憶部２２０に記憶されている能力判定時回転数Ｒｊで駆動し、室内機５ａ〜５ｃを１台ずつ暖房運転したときに高圧センサ３１で検出した高圧Ｐｈｓと予め定められて記憶部２２０に記憶されている閾圧力Ｐｔｈを比較して、室内機５ａ〜５ｃの能力が小能力Ａであるか大能力Ｂであるかを判定する。尚、室内機能力判定運転のために室内機５ａ〜５ｃを暖房運転するとき、各室内ファン５４ａ〜５４ｃによる風量を、例えば「強」（弱→中→強）と変更できる場合）とする。
【００５９】
圧縮機２１を能力判定時回転数Ｒｊで駆動して室内機５ａ〜５ｃを１台ずつ暖房運転したときに検出する高圧Ｐｈｓは、運転している室内機の能力が小さい程高い値となる。これは、凝縮器として機能する室内熱交換器における凝縮能力は、室内熱交換器の能力が小さい程小さくなり、室外機２の室外熱交換器２３における蒸発能力に対して室内機の室内熱交換器における凝縮能力が小さい程低圧が上昇し、これに伴って高圧Ｐｈｓも上昇するためである。
【００６０】
そこで、室内機能力判定運転では、上記のように圧縮機２１を能力判定時回転数Ｒｊで駆動して室内機５ａ〜５ｃを１台ずつ暖房運転したときの高圧Ｐｈｓを高圧センサ３１から取り込み、取り込んだ高圧Ｐｈｓが閾圧力Ｐｔｈ未満である室内機は小能力Ａと判定し、取り込んだ高圧Ｐｈｓが閾圧力Ｐｔｈ以上である室内機は大能力Ｂと判定する。
【００６１】
図２では一例として、能力判定時回転数Ｒｊを４５ｒｐｓとして圧縮機２１を駆動したときの、室内機５ａのみ暖房運転したときに検出した高圧Ｐｈｓａが２．５ＭＰａ、室内機５ｂのみ暖房運転したときに検出した高圧Ｐｈｓｂが３．５ＭＰａ、室内機５ｃのみ暖房運転したときに検出した高圧Ｐｈｓｃが３．８ＭＰａとそれぞれなっている。そして、閾圧力Ｐｔｈを３．０ＭＰａとして、室内機５ａでは高圧Ｐｈｓａ：２．５ＭＰａ＜閾圧力Ｐｔｈ：３．０ＭＰａであるので小能力Ａと判定され、室内機５ｂでは高圧Ｐｈｓｂ：３．５ＭＰａ＞閾圧力Ｐｔｈ：３．０ＭＰａであるので大能力Ｂと判定され、室内機５ｃでは高圧Ｐｈｓｃ：３．８ＭＰａ＞閾圧力Ｐｔｈ：３．０ＭＰａであるので大能力Ｂと判定されている。
【００６２】
尚、ここでは閾圧力Ｐｔｈを３．０ＭＰａとしているが、閾圧力Ｐｔｈは室内機５ａ〜５ｃが設置される部屋の室内温度に応じて定められ、例えば、室内温度：２０℃のときは閾圧力Ｐｔｈ：３．０ＰＭａ、室内温度：２５℃のときは閾圧力Ｐｔｈ：３．２ＰＭａ、室内温度：１５℃のときは閾圧力Ｐｔｈ：２．８ＰＭａとされて、予め記憶部２２０に記憶されている。具体的には、室内温度センサ６１ａ〜６１ｃで検出する室内温度に応じて閾圧力Ｐｔｈが選択される。このように、室内温度に応じて閾圧力Ｐｔｈを選択することで、室内機５ａ〜５ｃの周囲環境の違いに左右されずに室内機５ａ〜５ｃのそれぞれの能力を正確に判定することができる。
【００６３】
そして、室内機５ａ〜５ｃの能力の判定結果に応じて、暖房運転時の起動時回転数パターンＲｐが選択される。この起動時回転数パターンＲｐは、図３に示すように、暖房運転開始時に運転する室内機が小能力Ａである場合の小能力時起動パターンＲｐａと、運転する室内機が大能力Ｂである場合の大能力時起動パターンＲｐｂの２つのパターンで構成される。尚、前述したように、小能力起動時パターンをＲｐａと大能力起動時パターンＲｐｂは、予め記憶部２２０に記憶されている。
【００６４】
これら各起動時パターンは、圧縮機２１の回転数Ｒｓを３段階で上昇させるものである。具体的には、小能力時起動パターンＲｐａでは、まず回転数Ｒｓを小能力時第１回転数Ｒｐａ１（一例として２８ｒｐｓ）として一定時間Ｔｐ（一例として３分間）駆動し、次に回転数Ｒｓを小能力時第２回転数Ｒｐａ２（一例として４２ｒｐｓ）に上げて一定時間Ｔｐ駆動し、最後に回転数Ｒｓを小能力時第３回転数Ｒｐａ３（一例として６５ｒｐｓ）に上げて一定時間Ｔｐ駆動する。
【００６５】
また、大容量時起動パターンＲｐｂでは、まず回転数Ｒｓを大容量時第１回転数Ｒｐｂ１（＞小容量時第１回転数Ｒｐａ１。一例として３０ｒｐｓ）として一定時間Ｔｐ駆動し、次に回転数Ｒｓを大容量時第２回転数Ｒｐｂ２（＞小容量時第２回転数Ｒｐａ２。一例として５３ｒｐｓ）に上げて一定時間Ｔｐ駆動し、最後に回転数Ｒｓを大容量時第３回転数Ｒｐｂ３（＞小容量時第３回転数Ｒｐａ３。一例として８２ｒｐｓ）に上げて一定時間Ｔｐ駆動する。
【００６６】
尚、図２では、一例として室内機５ａが小容量Ａと判定されているので、暖房運転開始時に室内機５ａのみ運転する場合の起動時回転数パターンＲｐとして小容量時起動パターンＲｐａとされている。一方、室内機５ｂおよび室内機５ｃがそれぞれ大容量Ｂと判定されているので、暖房運転開始時に室内機５ｂのみあるいは室内機５ｃのみ運転する場合の起動時回転数パターンＲｐは大容量時起動パターンＲｐｂとされている。
【００６７】
また、小能力時起動パターンＲｐａと大能力時起動パターンＲｐｂにおいて、圧縮機２１の回転数Ｒｓを３段階で上昇させている理由は以下の通りである。暖房運転開始後に暖房能力を早く立ち上げるためには、起動時の圧縮機２１の回転数を高くすることが望ましい。しかし、外気温度が低いなどの理由で圧縮機２１の温度が低くて冷媒寝込みが発生している場合に高い回転数で圧縮機２１を起動すると、冷凍機油の吐出量が多くなって圧縮機２１で潤滑不良が起こる恐れがある。そこで、圧縮機２１の温度が低い起動直後は低い回転数で起動し、圧縮機２１の温度が高くなる（ことで冷媒寝込みが解消する）につれて回転数を上げていくことで、冷凍機油の吐出量を抑えつつ立ち上がりの早い運転とできる。
【００６８】
一方、起動時回転数パターン決定テーブル３００に記憶されている項目のうち、運転状態と採用パターンは、暖房運転開始時に決定されるものである。まず、運転状態について説明する。空気調和装置１が暖房運転を開始するときは、暖房運転を要求する室内機５ａ〜５ｃの少なくとも１台から運転開始要求が出される。これにより、暖房運転を行う室内機と行わない室内機が特定できるので、暖房運転を行う室内機の運転状態が「運転」とされ、暖房運転を行わない室内機の運転状態が「停止」とされる。尚、図２では一例として、室内機５ａのみが暖房運転を行う場合を示しており、室内機５ａの運転状態が「運転」、室内機５ｂ、５ｃの運転状態がそれぞれ「停止」となっている。
【００６９】
次に、採用パターンについて説明する。設置時に実行した室内機能力判定運転で室内機５ａ〜５ｃのそれぞれの能力と、室内機５ａ〜５ｃが暖房運転開始時に単独で運転する場合の起動時回転数パターンＲｐが判明しており、また、暖房運転開始時に室内機５ａ〜５ｃのうちどの室内機が暖房運転を行うかが判明している。そこで、これらの判定結果を使用して、暖房運転開始時に採用する起動時回転数パターンＲｐが決定される。
【００７０】
具体的には、暖房運転を行う室内機が小能力Ａと判定された室内機のみである場合は、起動時回転数パターンＲｐとして小能力時起動パターンＲｐａが採用される。一方、暖房運転を行う室内機のうち少なくとも１台が大能力Ｂと判定されたもの（大能力Ｂと判定された室内機が１台だけ運転、あるいは、大能力Ｂを含む２台以上の室内機が運転する場合が該当）である場合は、起動時回転数パターンＲｐとして大能力時起動パターンＲｐｂが採用される。尚、図２では、暖房運転を行うのが小能力Ａと判定された室内機Ａのみであるため、起動時回転数パターンＲｐとして小能力時起動パターンＲｐａが採用されている。
【００７１】
以上説明したように、本発明の空気調和装置１が暖房運転を開始するとき、空気調和装置１の設置時に実行する室内機能力判定運転で室内機５ａ〜５ｃの能力を判定しこの結果に応じて室内機５ａ〜５ｃ毎に起動時回転数パターンＲｐを決定し、暖房運転開始時は暖房運転を行う室内機の能力に応じた起動時回転数パターンＲｐで圧縮機２１の駆動制御を行う。このため、暖房運転を開始するときに室内機側の能力が小さい場合であっても、高圧Ｐｈｓの過昇を抑制できる。
【００７２】
次に、図４を用いて、空気調和装置１の設置後に実行する室内機能力判定運転に関わる処理について、また、図５を用いて暖房運転開始時の起動時制御に関わる処理についてそれぞれ説明する。まずは、図４を用いて室内機能力判定運転に関わる処理について説明し、次に、図５を用いて起動時制御に関わる処理について説明する。尚、図４および図５において、ＳＴは処理のステップを表し、これに続く数字はステップ番号を表している。また、図４および図５では、本発明に関わる処理を中心に説明しており、これ以外の処理、例えば主に室外機２（の室外機制御手段２００）が行う冷媒回路１０の圧力や温度に関わる制御といった空気調和装置１の一般的な制御に関わる処理については説明を省略する。
＜室内機能力判定運転＞
【００７３】
空気調和装置１が設置された後、作業者が室外機２に設けられた図示しない操作部を操作して、あるいは、室内機５ａ〜５ｃの図示しないリモコンを操作して、室外機２に接続された室内機５ａ〜５ｃの室内機能力判定運転を指示する。室内機能力判定運転の指示を受けた室外機制御手段２００のＣＰＵ２１０は、四方弁２１を切り換えて冷媒回路１０を図１（Ａ）に示す状態、つまり、暖房サイクルとする（ＳＴ１）。
【００７４】
次に、ＣＰＵ２１０は、圧縮機２１を能力判定時回転数Ｒｊで起動する（ＳＴ２）。次に、ＣＰＵ２１０は、室内機５ａ〜５ｃのうち室内機５ａのみ暖房運転を開始する（ＳＴ３）。具体的には、ＣＰＵ２１０は、暖房運転を開始する旨を含む信号を通信部２３０を介して室内機５ａに送信し、この信号を受信した室内機５ａは、室内ファン５４ａを駆動する。
【００７５】
次に、ＣＰＵ２１０は、センサ入力部２４０を介して高圧センサ３１で検出した高圧Ｐｈｓａを取り込む（ＳＴ４）。ＣＰＵ２１０は、高圧Ｐｈｓａを定期的（例えば、３０秒毎）に取り込み、取り込んだ高圧Ｐｈｓａを記憶部２２０に時系列で記憶する。
【００７６】
次に、ＣＰＵ２１０は、高圧Ｐｈｓａと閾圧力Ｐｔｈを記憶部２２０から読み出して、高圧Ｐｈｓａが閾圧力Ｐｔｈ未満であるか否かを判断する（ＳＴ５）。具体的には、ＣＰＵ２１０は、例えば１分間つまり直近に取り込んで記憶した高圧Ｐｈｓａとその一つ前に取り込んだ高圧Ｐｈｓａの差が０．１ＭＰａ以内であれば、高圧Ｐｈｓａが安定したと判断し、直近に取り込んで記憶した高圧Ｐｈｓａと閾圧力Ｐｔｈを比較する。
【００７７】
ＳＴ５において高圧Ｐｈｓａが閾圧力Ｐｔｈ未満であれば（ＳＴ５−Ｙｅｓ）、ＣＰＵ２１０は、室内機５ａの能力は小能力Ａと判定するとともに、室内機５ａのみが暖房運転を開始するときの起動時回転数パターンＲｐを小能力起動時パターンＲｐａとし（ＳＴ６）、ＳＴ８に処理を進める。
【００７８】
一方、ＳＴ５において高圧Ｐｈｓａが閾圧力Ｐｔｈ未満でなければ（ＳＴ５−Ｎｏ）、ＣＰＵ２１０は、室内機５ａの能力は大能力Ｂと判定するとともに、室内機５ａのみが暖房運転を開始するときの起動時回転数パターンＲｐを大能力起動時パターンＲｐｂとし（ＳＴ）、ＳＴ８に処理を進める。
【００７９】
尚、ＣＰＵ２１０は、ＳＴ５で能力の判定に用いた高圧Ｐｈｓａと、ＳＴ６もしくはＳＴ７で判定および決定した判定能力と起動時回転数パターンＲｐを、図２に示す起動時回転数パターン決定テーブル３００の室内機５ａに対応させて記憶する。
【００８０】
ＳＴ８以降、ＣＰＵ２１０は、以上説明したＳＴ３〜ＳＴ７までと同じ処理を室内機５ｂについて実行し（ＳＴ８〜ＳＴ１２が該当する処理）、その次にＳＴ３〜ＳＴ７までと同じ処理を室内機５ｃについて実行する（ＳＴ１３〜ＳＴ１７が該当する処理）。各室内機５ｂ、５ｃについての処理は、室内機５ａの場合と同じであるため、説明を省略する。尚、室内機５ｂ、５ｃについても、能力の判定に用いた高圧Ｐｈｓａと、判定および決定した判定能力と起動時回転数パターンＲｐを、図２に示す起動時回転数パターン決定テーブル３００の室内機５ｂもしくは室内機５ｃに対応させて記憶する。
【００８１】
ＳＴ１６もしくはＳＴ１７の処理を終えたＣＰＵ２１０は、室内機能力判定運転に関わる処理を終了する。
＜暖房運転開始時の起動時制御＞
【００８２】
次に、図５を用いて、暖房運転時の起動時制御に関わる処理について説明する。使用者による空調運転開始指示があれば、ＣＰＵ２１０は、使用者の運転指示が暖房運転指示であるか否かを判断する（ＳＴ２１）。暖房運転指示でなければ（ＳＴ２１−Ｎｏ）、ＣＰＵ２１０は、冷房運転もしくは除湿運転の開始処理である冷房／除湿運転開始処理を実行する（ＳＴ３１）。ここで、冷房／除湿運転開始処理とは、ＣＰＵ２１０が四方弁２２を操作して冷媒回路１０を冷房サイクルとすることであり、空気調和装置１が停止している状態から冷房運転もしくは除湿運転を開始するとき、もしくは、暖房運転から冷房運転もしくは除湿運転に切り替えられる際に行われる処理である。
【００８３】
そして、ＣＰＵ２１０は、圧縮機２１や室外ファン２６を所定の回転数で起動するとともに、冷房／除湿運転を行う室内機５ａ〜５ｃに対応する膨張弁２４ａ〜２４ｃを全開として冷房／除湿運転制御を開始し（ＳＴ３２）、ＳＴ２８に処理を進める。
【００８４】
ＳＴ２１において、暖房運転指示であれば（ＳＴ２１−Ｙｅｓ）、ＣＰＵ２１０は、暖房運転開始処理を実行する（ＳＴ２２）。ここで、暖房運転開始処理とは、ＣＰＵ２１０が四方弁２２を操作して冷媒回路１０を図１（Ａ）に示す状態、つまり、冷媒回路１０を暖房サイクルとすることであり、空気調和装置１が停止している状態から暖房運転を開始するとき、もしくは、冷房運転もしくは除湿運転から暖房運転に切り替えられる際に行われる処理である。
【００８５】
次に、ＣＰＵ２１０は、室内機５ａ〜５ｂのうち暖房運転を行う室内機を判定する（ＳＴ２３）。室内機５ａ〜５ｃのうち暖房運転を要求する室内機から運転開始要求が出され、ＣＰＵ２１０はこの運転開始要求を取り込んで暖房運転を行う室内機と行わない室内機を特定できる。そして、ＣＰＵ２１０は、起動時回転数パターン決定テーブル３００において、暖房運転を行う室内機の運転状態を「運転」、暖房運転を行わない室内機の運転状態を「停止」とする。
【００８６】
次に、ＣＰＵ２１０は、起動時回転数パターンＲｐを決定する（ＳＴ２４）。前述したように、ＣＰＵ２１０は、起動時回転数決定テーブル３００を参照し、暖房運転を行う室内機が小能力Ａと判定されたもののみである場合は、起動時回転数パターンＲｐとして小能力時起動パターンＲｐａを選択し、暖房運転を行う室内機のうち少なくとも１台が大能力Ｂと判定されたものである場合は、起動時回転数パターンＲｐとして大能力時起動パターンＲｐｂを選択する。そして、ＣＰＵ２１０は、選択した起動時回転数パターンＲｐを起動時回転数パターン決定テーブル３００の「採用パターン」に記憶する。
【００８７】
次に、ＣＰＵ２１０は、ＳＴ２４で決定した起動時回転数パターンＲｐに則って圧縮機２１を起動して起動時制御を開始する（ＳＴ２５）。具体的には、ＣＰＵ２１０は、小能力時起動パターンＲｐａを採用しているのであれば、圧縮機２１を小能力時第１回転数Ｒｐａ１で起動し、小能力時第１回転数Ｒｐａ１を一定時間ｔｐ維持した後、圧縮機２１の回転数を小能力時第２回転数Ｒｐａ２に上昇させる。そして、小能力時第２回転数Ｐｐａ２を一定時間ｔｐ維持した後、圧縮機２１の回転数を小能力時第３回転数Ｒｐａ３に上昇させる。
【００８８】
一方、ＣＰＵ２１０は、大能力時起動パターンＲｐｂを採用しているのであれば、圧縮機２１を大能力時第１回転数Ｒｐｂ１で起動し、大能力時第１回転数Ｒｐｂ１を一定時間ｔｐ維持した後、圧縮機２１の回転数を大能力時第２回転数Ｒｐｂ２に上昇させる。そして、大能力時第２回転数Ｒｐｂ２を一定時間ｔｐ維持した後、圧縮機２１の回転数を大能力時第３回転数Ｒｐｂ３に上昇させる。
【００８９】
次に、ＣＰＵ２１０は、起動時制御を終了するか否かを判断する（ＳＴ２６）。ここで、ＣＰＵ２１０は、小能力時起動パターンＲｐａを採用して起動時制御を実行しているときに、圧縮機２１の回転数Ｒｓを小能力時第３回転数Ｒｐａ３としている時間が一定時間Ｔｐとなれば、起動時制御を終了する。また、ＣＰＵ２１０は、大能力時起動パターンＲｐｂを採用して起動時制御を実行しているときに、圧縮機２１の回転数Ｒｓを大能力時第３回転数Ｒｐｂ３としている時間が一定時間Ｔｐとなれば、起動時制御を終了する。
【００９０】
ＳＴ２６において起動時制御を終了しないのであれば（ＳＴ２６−Ｎｏ）、ＣＰＵ２１０は、ＳＴ２６に処理を戻して起動時制御を継続する。一方、起動時制御を終了するのであれば（ＳＴ２６−Ｙｅｓ）、ＣＰＵ２１０は、暖房運転時の通常制御を実行する（ＳＴ２７）。
【００９１】
ここで通常制御とは、圧縮機２１の回転数を、暖房運転を行う室内機で設定された設定温度と当該室内機で検出された室内温度の温度差に応じて室内機から要求される能力に応じた回転数として圧縮機２１を駆動することである。ＣＰＵ２１０は、図３に示す時点ｔ１、つまり、小能力時起動パターンＲｐａで圧縮機２１の回転数を小能力時第３回転数Ｐｐａ３で維持する時間が一定時間ｔｐ経過した時点、あるいは、大能力時起動パターンＲｐｂで圧縮機２１の回転数を大能力時第３回転数Ｐｐａ３で維持する時間が一定時間ｔｐ経過した時点で、通常制御に移行する。
【００９２】
ＳＴ２７もしくはＳＴ３２の処理を終えたＣＰＵ２１０は、使用者による運転モード切替指示があるか否かを判断する（ＳＴ２８）。ここで、運転モード切替指示とは、現在の運転（ここでは暖房運転）から別の運転（冷房運転あるいは除湿運転）への切替を指示するものである。運転モード切替指示がある場合は（ＳＴ２８−Ｙｅｓ）、ＣＰＵ２１０は、ＳＴ２１に処理を戻す。運転モード切替指示がない場合は（ＳＴ２８−Ｎｏ）、ＣＰＵ２１０は、使用者による運転停止指示があるか否かを判断する（ＳＴ２９）。ここで運転停止指示とは、全ての室内機５ａ〜５ｃが運転を停止することを示すものである。
【００９３】
運転停止指示があれば（ＳＴ２９−Ｙｅｓ）、ＣＰＵ２１０は、運転停止処理を実行し（ＳＴ３０）、処理を終了する。運転停止処理では、ＣＰＵ２１０は、圧縮機２１や室外ファン２６を停止するとともに膨張弁２４ａ〜２４ｃを全閉とする。また、ＣＰＵ２１０は、室内機５ａ〜５ｃのうち運転していた室内機に対し通信部２３０を介して運転を停止する旨の運転停止信号を送信する。運転停止信号を受信した室内機５ａ〜５ｃは、各々の室内ファン５４ａ〜５４ｃを停止する。
【００９４】
ＳＴ２９において運転停止指示がなければ（ＳＴ２９−Ｎｏ）、ＣＰＵ２１０は、現在の運転が暖房運転であるか否かを判断する（ＳＴ３３）。現在の運転が暖房運転であれば（ＳＴ３３−Ｙｅｓ）、ＣＰＵ２１０は、ＳＴ２７に処理を戻す。現在の運転が暖房運転でなければ（ＳＴ３３−Ｎｏ）、つまり、現在の運転が冷房運転もしくは除湿運転であれば、ＣＰＵ２１０は、ＳＴ３２に処理を戻す。
【００９５】
以上説明したように、本発明の空気調和装置１では、空気調和装置１の設置後に室内機能力判定運転を実行して、室外機２に接続されている室内機５ａ〜５ｃの各能力を判定し、これら各室内機５ａ〜５ｃが暖房運転開始時に単独で運転される場合に適用する起動時回転数パターンＲｐを決定する。そして、暖房運転を開始するときは、室内機５ａ〜５ｃのうち暖房運転を行う室内機に対応する起動時回転数パターンＲｐで圧縮機２１を駆動制御する。これにより、暖房運転を行う室内機の能力が小さい場合であっても、暖房運転開始時の高圧の過昇を抑制できる。
【００９６】
尚、以上説明した実施形態では、室外機２に３台の室内機５ａ〜５ｃが接続されている空気調和装置１を例に挙げて説明したが、室外機に室内機が１台のみ接続されている場合であっても、本発明を適用できる。但しこの場合は、暖房運転開始時は、室内機能力判定運転を実行して決定した起動時回転数パターンで圧縮機２１を起動することとなる。
【００９７】
また、本実施形態では、図３に示す各起動時回転数パターンＲｐにおける各段階での圧縮機２１の回転数を維持する一定時間ｔｐが全て同じである場合を説明したが、空気調和装置１の動作環境に応じて各段階での圧縮機２１の回転数を維持する時間を異ならせてもよい。例えば、外気温度が低いときの小能力時起動パターンＲｐａに採用時においては、小能力時第１回転数Ｒｐａ１に維持する時間＜小能力時第２回転数Ｐｐａ２に維持する時間＜小能力時第３回転数Ｐｐａ３に維持する時間、というように、回転数が高くなるにつれてその回転数を維持する時間を長くすることで、圧縮機２１の温度が上昇して冷媒寝込みが解消されるので、圧縮機２１の起動時に吐出される冷凍機油量を極力少なくすることができる。
【００９８】
さらには、本実施形態では、室内機能力判定運転を空気調和装置１の設置時に実行し、暖房運転開始時に暖房運転を行う室内機の能力に応じて起動時回転数パターンを決定する場合を説明したが、設置時に室外機２に接続される室内機の全ての運転パターン（本実施形態の場合、室内機５ａ〜５ｃのいずれかのみ運転、室内機５ａ〜５ｃのいずれか２台を同時に運転、室内機５ａ〜５ｃ全てを同時に運転）について室内機側の能力を求めて起動時回転数パターンを決定しておいてもよい。
【符号の説明】
【００９９】
１  空気調和装置
２  室外機
５ａ~５ｃ  室内機
２１  圧縮機
２３  室外熱交換器
２４ａ〜２４ｃ  膨張弁
３２  低圧センサ
５１  室内熱交換器
２００  室外機制御部
２１０  ＣＰＵ
２２０  記憶部
２４０  センサ入力部
３００  起動時回転数パターン決定テーブル
Ａ  小能力
Ｂ  大能力
Ｐｈｓ（Ｐｈｓａ〜Ｐｈｓｃ）  高圧
Ｐｔｈ  閾圧力
Ｒｓ  圧縮機回転数
Ｒｐａ  小能力起動時パターン
Ｒｐｂ  大能力起動時パターン
Ｒｐａ１〜Ｒｐａ３  小能力起動時パターンにおける圧縮機回転数
Ｒｐｂ１〜Ｒｐｂ３  大能力起動時パターンにおける圧縮機回転数
Ｒｊ  能力判定時回転数
ｔ  時間
ｔ１  起動時制御−通常制御切り換え時点
ｔｐ  回転数維持時間
【図１】
2018115805.tif 000003
【図２】
2018115805.tif 000004
【図３】
2018115805.tif 000005
【図４】
2018115805.tif 000006
【図５】
2018115805.tif 000007